(57)【要約】【課題】複数の情報を表示させる際の利便性を高めることができる携帯型電子機器を提供する。【解決手段】携帯型電子機器は、複数の情報を同時に表示する表示部２４０と、表示部２４０に表示された情報を他の情報に変更するとともに、前記他の情報に含まれる複数の情報要素のうちのいずれかの情報要素を切り替えて表示させる処理部２２０と、を備える。【選択図】図３
2014169895.tif 000002
【特許請求の範囲】
【請求項１】
複数の情報を同時に表示する表示部と、
前記表示部に表示された情報を他の情報に変更するとともに、前記他の情報に含まれる複数の情報要素のうちのいずれかの情報要素を切り替えて表示させる処理部と、
を備えることを特徴とする携帯型電子機器。
【請求項２】
前記処理部は、
前記表示部に表示させる情報に所定の生体情報を含み、前記表示部に表示させる情報のうちで前記生体情報を優先させて表示する
ことを特徴とする請求項１に記載の携帯型電子機器。
【請求項３】
前記処理部は、
前記生体情報として、心拍数又は脈拍数のいずれかの情報を表示させる
ことを特徴とする請求項２に記載の携帯型電子機器。
【請求項４】
前記処理部は、
前記表示部に表示させる情報に、時刻情報と、経過時間の計測情報とを含み、
前記時刻情報と、前記経過時間を示す計測情報とを前記他の情報として表示する場合、前記時刻情報と、前記経過時間を示す計測情報とを所定の時間間隔で切り換えて前記表示部に表示させる
ことを特徴とする請求項１から３のいずれか１項に記載の携帯型電子機器。
【請求項５】
所定の操作を入力するための操作入力部をさらに備え、
前記処理部は、
前記操作入力部に対してなされた前記所定の操作の検出に応じて、前記経過時間の計測情報を予め設定された時間、前記表示部に表示させる
ことを特徴とする請求項４に記載の携帯型電子機器。
【請求項６】
前記所定の操作が、前記経過時間として計測するラップタイム又はスプリットタイムの計測を指示する操作である
ことを特徴とする請求項５に記載の携帯型電子機器。
【請求項７】
前記表示部は、
前記複数の情報を表示する第１表示領域と第２表示領域とを有し、
前記処理部は、
前記所定の生体情報を前記第１表示領域に表示させるとともに、前記時刻情報又は前記経過時間の計測情報を前記第２表示領域に表示させる
ことを特徴とする請求項４から６のいずれか１項に記載の携帯型電子機器。
【請求項８】
前記処理部は、
前記所定の生体情報を取得した場合には、前記時刻情報又は前記経過時間の計測情報のうちのいずれか一方を前記第２表示領域に表示させるともに、前記生体情報を前記第１表示領域に表示させ、
前記所定の生体情報を取得できないと判定した場合には、前記時刻情報又は前記経過時間の計測情報のうちのいずれか一方を前記第２表示領域に表示させるともに、他方を前記第１表示領域に表示させる
ことを特徴とする請求項７に記載の携帯型電子機器。
【請求項９】
複数の情報を同時に表示部に表示する工程と、
前記表示部に表示された情報を他の情報に変更するとともに、前記他の情報に含まれる複数の情報要素のうちのいずれかの情報要素を切り替えて表示させる工程と、
を含むことを特徴とする表示方法。
【請求項１０】
携帯型電子機器が備えるコンピュータに、
複数の情報を同時に表示部に表示するステップと、
前記表示部に表示された情報を他の情報に変更するとともに、前記他の情報に含まれる複数の情報要素のうちのいずれかの情報要素を切り替えて表示させるステップと、
を実行させるためのプログラム。
【発明の詳細な説明】
【技術分野】
【０００１】
本発明は、携帯型電子機器、表示方法及びプログラムに関する。
【背景技術】
【０００２】
携帯型電子機器には、時計機能やクロノグラフ機能に加えて、脈拍計測機能を備えたものがある（例えば特許文献１）。ここで、時計機能とは現在時刻、現在日時等の時刻情報を計測及び表示する機能である。また、クロノグラフ機能とは、経過時間を計測及び表示する機能である。特許文献１に記載されている携帯型電子機器は、脈拍計測用のセンサを備えるとともに、現在時刻、経過時間、脈拍数等の計測情報を３つの表示領域を有する表示装置に表示する。
【０００３】
一方、特許文献２に記載されている携帯型電子機器では、１つの表示領域に時刻や脈拍数をユーザーのキー操作に応じて切り換えて表示することで、比較的小さな表示画面を使用した場合の視認性を確保している。
【先行技術文献】
【特許文献】
【０００４】
【特許文献１】特許第３４１５９７１号公報
【特許文献２】特開平７−２８７０８２号公報
【発明の概要】
【発明が解決しようとする課題】
【０００５】
ランニング等の運動中にユーザーが知りたい計測情報は、心拍数（あるいは脈拍数）、ラップタイム、スプリットタイム、時刻情報等である。例えば、特許文献１に記載されている携帯型電子機器のように、これら複数の情報の数ができるだけ多くなるように表示して同時に読み取り可能にしようとすると、表示面積を比較的大きくすることが望まれる。一方、特許文献２に記載されているように表示面積を比較的小さくして、ユーザーのキー操作に応じて複数の情報を切り換えて表示する場合がある。この場合には、切り換えの際にユーザーがキー操作を行う必要がある等、利便性が低下するという課題がある。
【０００６】
本発明は、上記の事情に鑑みてなされたものであり、複数の情報を表示させる際の利便性を高めることができる携帯型電子機器、表示方法及びプログラムを提供することを目的とする。
【課題を解決するための手段】
【０００７】
（１）本発明の一態様は、複数の情報を同時に表示する表示部と、前記表示部に表示された情報を他の情報に変更するとともに、前記他の情報に含まれる複数の情報要素のうちのいずれかの情報要素を切り替えて表示させる処理部と、を備えることを特徴とする携帯型電子機器である。
【０００８】
（２）また、本発明の一態様は、前記処理部は、前記表示部に表示させる情報に所定の生体情報を含み、前記表示部に表示させる情報のうちで前記生体情報を優先させて表示することを特徴とする。
【０００９】
（３）また、本発明の一態様は、前記処理部は、前記生体情報として、心拍数又は脈拍数のいずれかの情報を表示させることを特徴とする携帯型電子機器である。
【００１０】
（４）また、本発明の一態様は、前記処理部は、前記表示部に表示させる情報に、時刻情報と、経過時間の計測情報とを含み、前記時刻情報と、前記経過時間を示す計測情報とを前記他の情報として表示する場合、前記時刻情報と、前記経過時間を示す計測情報とを所定の時間間隔で切り換えて前記表示部に表示させることを特徴とする携帯型電子機器である。
【００１１】
（５）また、本発明の一態様は、所定の操作を入力するための操作入力部をさらに備え、前記処理部は、前記操作入力部に対してなされた前記所定の操作の検出に応じて、前記経過時間の計測情報を予め設定された時間、前記表示部に表示させることを特徴とする携帯型電子機器である。
【００１２】
（６）また、本発明の一態様は、前記所定の操作が、前記経過時間として計測するラップタイム又はスプリットタイムの計測を指示する操作であることを特徴とする携帯型電子機器である。
【００１３】
（７）また、本発明の一態様は、前記表示部は、前記複数の情報を表示する第１表示領域と第２表示領域とを有し、前記処理部は、前記所定の生体情報を前記第１表示領域に表示させるとともに、前記時刻情報又は前記経過時間の計測情報を前記第２表示領域に表示させることを特徴とする携帯型電子機器である。
【００１４】
（８）また、本発明の一態様は、前記処理部は、前記所定の生体情報を取得した場合には、前記時刻情報又は前記経過時間の計測情報のうちのいずれか一方を前記第２表示領域に表示させるともに、前記生体情報を前記第１表示領域に表示させ、前記所定の生体情報を取得できないと判定した場合には、前記時刻情報又は前記経過時間の計測情報のうちのいずれか一方を前記第２表示領域に表示させるともに、他方を前記第１表示領域に表示させることを特徴とする携帯型電子機器である。
【００１５】
（９）また、本発明の一態様は、複数の情報を同時に表示部に表示する工程と、前記表示部に表示された情報を他の情報に変更するとともに、前記他の情報に含まれる複数の情報要素のうちのいずれかの情報要素を切り替えて表示させる工程と、を含むことを特徴とする表示方法である。
【００１６】
（１０）また、本発明の一態様は、携帯型電子機器が備えるコンピュータに、複数の情報を同時に表示部に表示するステップと、前記表示部に表示された情報を他の情報に変更するとともに、前記他の情報に含まれる複数の情報要素のうちのいずれかの情報要素を切り替えて表示させるステップと、を実行させるためのプログラムである。
【発明の効果】
【００１７】
本発明によれば、複数の情報を表示させる際の利便性を高めることができる携帯型電子機器、表示方法及びプログラムを提供することができる。
【図面の簡単な説明】
【００１８】
【図１】本発明の一実施形態におけるランニングウォッチシステムの装置構成を示す概略構成図である。
【図２】図１に示したランニングウォッチシステム１の構成例を示すブロック図である。
【図３】図２に示した表示部２４０の表示例を示した図である。
【図４】図２に示した表示部２４０の表示例を示したタイミングチャートである。
【図５】図２に示した表示部２４０の他の表示例を示した図である。
【図６】図２に示した処理部２２０の動作例を示したフローチャートである。
【図７】図６に示したステップＳ１１の処理の流れの一例を示したフローチャートである。
【図８】図６に示したステップＳ１１の処理の流れの他の例を示したフローチャートである。
【図９】図８に示したステップＳ２００の処理の流れの一例を示したフローチャートである。
【図１０】図６に示したステップＳ１１の処理の流れのさらに他の例を示したフローチャートである。
【図１１】図１０に示したステップＳ３００の処理の流れの一例を示したフローチャートである。
【発明を実施するための形態】
【００１９】
以下、本発明の実施形態について、図面を参照して詳細に説明する。図１は、本発明の一実施形態におけるランニングウォッチシステム１の装置構成を示す概略構成図である。同図において、ランニングウォッチシステム１は、チェストストラップ１００と、ランニングウォッチ２００とを備える。
ランニングウォッチシステム１は、例えばランニングなどスポーツを行うユーザーに対して心拍数やラップタイム等の情報を提供する。以下、本実施形態では、一例として１分あたりの心拍数を心拍数として説明する。
【００２０】
チェストストラップ１００は、例えばユーザーの胸部に装着され、ユーザーの心拍を検出し、該検出した心拍に同期した心拍信号をランニングウォッチ２００に無線送信する。ランニングウォッチ２００は、心拍数や時刻情報、ラップタイム、スプリットタイム等の計測情報を表示することで、これらの情報をユーザーに提供する。具体的には例えば、ランニングウォッチ２００は、チェストストラップ１００から心拍信号を受信（取得）し、受信（取得）した心拍信号に基づいて心拍数を示す情報を表示する。また、ランニングウォッチ２００は、例えば時刻やラップタイムやスプリットタイムを計測するとともに、計測した情報を表示画面に表示する。本実施形態におけるランニングウォッチ２００は、本発明における携帯型電子機器の一例に該当する。
【００２１】
なお、本実施形態では、携帯型電子機器の一例としてランニングウォッチ２００について説明するが、これに限ったものではなく、携帯型電子機器としては例えば、スマートフォン、携帯電話機、タブレット端末等の携帯型の情報端末でもよい。
また、本実施形態では、生体情報の測定装置の一例としてチェストストラップ１００について説明するが、これに限ったものではない。
また、本発明において生体情報の測定装置が携帯型電子機器に対して生体信号を伝達する形態は、無線通信に限らず有線通信であってもよい。また、生体情報の測定装置が携帯型電子機器に内蔵されていてもよい。
また、携帯型電子機器が計測及び表示する生体情報は、心拍数に限らず、脈拍数、歩数、消費カロリー、体温、呼吸数等の生活現象を表す他の情報であってもよい。
【００２２】
図２は、ランニングウォッチシステム１の構成例を示すブロック図である。同図において、ランニングウォッチシステム１は、チェストストラップ１００と、ランニングウォッチ２００とを具備する。チェストストラップ１００は、センサ部１１０と、送信部１２０とを備える。ランニングウォッチ２００は、腕時計型の電子機器であり、受信部２１０と、処理部２２０と、表示部２４０と、操作入力部２５０と、記憶部２６０とを備える。
【００２３】
センサ部１１０は、心拍センサを有し、ユーザーの心拍を検出し、検出した心拍に同期した心拍信号を送信部１２０へ出力する。心拍信号は例えば、予め決められた閾値を超える場合に１を示し、それ以外の場合に０を示す信号である。
送信部１２０は、センサ部１１０が出力した心拍信号を無線等の通信手段にてランニングウォッチ２００へ送信する。
本実施形態において、ランニングウォッチ２００は、時計機能と、クロノグラフ機能と、心拍数計測機能を備えている。上述したように、時計機能とは現在時刻、現在日時等の時刻情報を計測及び表示する機能である。また、クロノグラフ機能とは、経過時間を計測及び表示する機能である。本実施形態でランニングウォッチ２００は、クロノグラフ機能として、ラップタイムやスプリットタイムを計測及び表示する。また、心拍数計測機能は、心拍数を計測及び表示する機能である。
【００２４】
受信部２１０は、チェストストラップ１００の送信部１２０から無線で送信された心拍信号を受信し、受信した心拍信号を処理部２２０へ出力する。
処理部２２０は、受信部２１０が受信した心拍信号に基づいて心拍数を算出し、算出した心拍数を表示部２４０が有する表示画面に表示する。また、処理部２２０は、操作入力部２５０がユーザーによる計測開始の入力操作を受け付けた時から操作入力部２５０がユーザーによる計測終了の入力操作を受け付けた時までの経過時間を測定する。また、処理部２２０は、算出した心拍数及び測定した経過時間を示す情報を、ユーザー操作に応じて記憶部２６０に記憶させる。そして、処理部２２０は、操作入力部２５０が検出したユーザー操作に応じて、その心拍数及びその時間を示す情報を表示部２４０に表示させる。
また、処理部２２０は、記憶部２６０に記憶されている情報であって、各表示情報の表示の優先度を表す情報を参照することで、表示する複数の情報のうちで最も優先度が高い情報を例えば常時表示する（あるいは表示時間を長くして切り換えて表示する）とともに、優先度が低い情報を切り換えて表示する（あるいは表示時間を短くして切り換えて表示する）。この構成によれば、優先度を高く設定した情報ほど、長時間表示することができ、視認性を高めることができる。すなわち、複数の情報を表示させる際の利便性を高めることができる。
本実施形態では、処理部２２０が、時刻情報と、経過時間の計測情報（例えばラップタイムやスプリットタイム）とを所定の時間間隔で切り換えながら表示部２４０に表示させる。
また、処理部２２０は、操作入力部２５０に対して所定の操作がなされた場合に、経過時間の計測情報を予め設定された時間だけ表示部に表示させる。ここで、所定の操作とは、ラップタイム又はスプリットタイムの計測を指示する操作や計測開始や計測終了を指示する操作とすることができる。なお、処理部２２０は、クロック信号を生成する発振器を有し、クロック信号を用いて時間の測定を行う。
【００２５】
表示部２４０は液晶表示画面等の表示画面を有し、処理部２２０の制御に従って、図３に一例を示したようにして、心拍数を示す情報と、時刻や経過時間を示す情報など、処理部２２０が出力した情報を表示する。表示部２４０は、複数の情報を同時に表示する。ここで複数の情報を同時に表示するとは、例えば、複数の情報を一度に読み取ることができるように表示された状態にすることをいう。図３は、表示部２４０における表示例を示した図である。図３に示したように、表示部２４０は第１表示領域２４１と第２表示領域２４２とを有している。第１表示領域２４１は、図３（ａ）等に示したように、心拍数を表す数字（図３では「１４９」）と、その数字が心拍数であることを示す記号（図３ではハートマーク）とを表示することができる。ただし、第１表示領域２４１が表示可能な情報はこれらに限定されず、時刻情報や経過時間の計測情報やそれ以外の文字や図形を表示することもできる。
他方、第２表示領域２４２は、図３（ａ）に示したように時刻情報や、図３（ｂ）及び（ｄ）に示したようにラップタイムの計測情報や、図３（ｃ）及び（ｅ）に示したようにスプリットタイムの計測情報を表示することができる。
図３（ａ）に示した例では、第２表示領域２４２が「午前１０時８分５９秒」を示す時刻情報を表示している。
図３（ｂ）に示した例では、第２表示領域２４２が、ラップタイムを表す文字「ＬＰ」と経過時間「０分０秒０」を示している。
図３（ｃ）に示した例では、第２表示領域２４２が、スプリットタイムを表す文字「ＳＰ」と経過時間「０分０秒０」を示している。
図３（ｄ）に示した例では、第２表示領域２４２が、ラップタイムを表す文字「ＬＰ」と経過時間「１分４７秒９８」を示している。
図３（ｅ）に示した例では、第２表示領域２４２が、スプリットタイムを表す文字「ＳＰ」と経過時間「１分４７秒９８」を示している。
【００２６】
操作入力部２５０は複数の押ボタンを有し、当該押ボタンを押下するユーザー操作を検出する。本実施形態で操作入力部２５０は、ランニングウォッチ２００の動作モードを設定したり、時刻合わせ等を行うための１又は複数の押ボタン、クロノグラフ機能において計測を開始したり、停止あるいは終了したり、計測値をリセットしたり、あるいはラップタイムやスプリットタイムの計時を指示したりするための１又は複数の押ボタンを備えている。操作入力部２５０は、検出したユーザー操作を示すユーザー操作情報を処理部２２０へ出力する。
【００２７】
記憶部２６０には、例えば、処理部２２０が実行するプログラムや、処理部２２０がそのプログラムを実行する際に参照あるいは生成する各種データが記憶される。また、記憶部２６０には、表示部２４０が表示する、心拍数、時刻情報、経過時間の計測情報（すなわちラップタイムやスプリットタイム）等の複数の情報に対して、表示の優先度を示す情報を各情報に対応づけて記憶する。表示の優先度は、例えば、１（最も優先度が高い）、２、３、４、…というように、数値情報として記憶することができる。本実施形態では、心拍数に対して最も優先度が高い「１」、時刻情報に対して「２」、そして、ラップタイムやスプリットタイムに対して「３」の各優先度が設定されているものとする。
この場合、処理部２２０は、表示部２４０に同時に表示させる情報の数より多くの情報を表示部２４０に表示させる制御を行うものであって、表示部２４０に表示された情報を表示された情報以外の他の情報に変更する。また、他の情報として表示する情報要素が複数である場合がある。この場合には、処理部２２０は、他の情報に変更するとともに、他の情報に含まれる複数の情報要素のうちのいずれかの情報要素を切り替えて表示させてもよい。他の情報に含まれる情報要素が２つの場合には、２つの情報要素を交互に表示させる。
例えば、処理部２２０は、表示部２４０に表示された時刻情報を、時刻情報以外の他の情報である経過時間の計測情報に変更する場合には、経過時間の計測情報に含まれる複数の情報要素のうちのいずれかの情報要素を切り替えて表示させる。このような情報要素としては、ラップタイムやスプリットタイム等がある。要するに、処理部２２０は、他の情報である経過時間の計測情報に含まれるラップタイムやスプリットタイム等の複数の情報を切り替えて表示部２４０に表示させる。処理部２２０は、経過時間の計測情報がラップタイムとスプリットタイムの２種類の情報である場合、ラップタイムとスプリットタイムを交互に切り換えて表示部２４０に表示させる。
また、例えば、表示部２４０に表示された情報を、他の情報である時刻情報と経過時間の計測情報とを含む情報に変更する場合には、処理部２２０は、時刻情報と、経過時間を示す計測情報とを、前記他の情報として表示する。要するに、処理部２２０は、表示部２４０に表示された情報を、他の情報に表示を切り替えるとともに、他の情報である時刻情報と経過時間の計測情報を切り替えて表示部２４０に表示させる。処理部２２０は、時刻情報と経過時間の計測情報の２つの情報である場合、時刻情報と経過時間の計測情報を交互に切り換えて表示部２４０に表示させる。上記のとおり、経過時間の計測情報には、ラップタイムやスプリットタイム等の情報が含まれる。経過時間の計測情報を表示する期間に、ラップタイムやスプリットタイム等の情報をさらに切り換えて表示してもよい。
また、処理部２２０は、表示部２４０に表示させる情報に所定の生体情報を含み、表示部２４０に表示させる情報のうちで生体情報を優先させて表示するものである、とみることができる。例えば、生体情報には、心拍数、脈拍数などの情報が含まれる。
なお、以下の説明において、表示部２４０に表示された情報を表示された情報以外の他の情報に変更する場合、他の情報に含まれる複数の情報要素のことを、単に「情報」という。
【００２８】
次に、図４を参照して、クロノグラフ機能を実行中に（以下ではクロノグラフ機能を実行中の状態をクロノグラフモードの状態とも呼ぶ）、表示部２４０における表示情報の切り換え表示例について説明する。
図４（ａ）、（ｂ）及び（ｃ）は、表示部２４０における異なる３種類の表示例を示したタイミングチャートである。ユーザーは、操作入力部２５０に対して所定の設定操作を行うことで、表示部２４０による表示動作を選択することができる。
【００２９】
図４（ａ）に示した表示例では、図３に示した第１表示領域２４１に常時、心拍数が表示され、第２表示領域２４２に、時刻とラップタイム（ＬＰ）又はスプリットタイム（ＳＰ）とが、所定の時間間隔で切り換えながら表示される。図４（ａ）では、時刻ｔ１で、ユーザーの操作入力部２５０に対する所定の操作に応じてクロノグラフモードにおける経過時間の計測が開始されている。この時刻ｔ１から時刻ｔ２までの、時間Ｔ１の間、第２表示領域２４２には、ラップタイム（ＬＰ）又はスプリットタイム（ＳＰ）が表示される。ラップタイム（ＬＰ）とスプリットタイム（ＳＰ）のどちらが表示されるのかは、ユーザーの操作入力部２５０に対する事前の操作に応じて設定される。また、表示されるラップタイム（ＬＰ）又はスプリットタイム（ＳＰ）は、例えば、最後に計時されたラップタイム（ＬＰ）又はスプリットタイム（ＳＰ）の値である。次に、時刻ｔ２から時刻ｔ３までの、時間Ｔ２の間、第２表示領域２４２には、時刻が表示される。さらに、時刻ｔ３から時刻ｔ４までの、時間Ｔ１の間、第２表示領域２４２には、再びラップタイム（ＬＰ）又はスプリットタイム（ＳＰ）が表示される。そして、時刻ｔ４から時間Ｔ２の間、第２表示領域２４２には、再び時刻が表示される。このように、図４（ａ）に示した表示例では、第１表示領域２４１に心拍数が常時表示されるとともに、第２表示領域２４２に時刻情報と経過時間の計測情報とが所定の時間間隔で切り換えながら表示される。なお、図３においては、図３（ｂ）又は（ｃ）が例えば時刻ｔ１における表示例である。また、図３（ａ）が例えば時刻ｔ２における表示例である。
【００３０】
ところで、計測情報を切り換えながら表示する際に次のようなことが生じる場合がある。例えば、クロノグラフ機能によるラップタイム、スプリットタイム等の計測時間と、時刻情報とを切り換えながら表示する場合、時刻情報の表示中には、クロノグラフ機能による計測時間が表示されなくなる。このため、通常の時計表示との違いが判別しづらくなることがある。言い換えれば、クロノグラフ機能による経過時間の計測を実行中であるか否かがわかりにくくなるということがあった。一方、本実施形態によれば、このように表示部２４０に時刻情報を表示させる場合であっても、表示部２４０に経過時間の計測情報が所定の時間間隔で表示されるので、ユーザーは経過時間の計測を実行中であるか否かを容易に判別することができる。
【００３１】
次に、図４（ｂ）に示した表示例では、図４（ａ）の表示例と同様に、図３に示した第１表示領域２４１に常時、心拍数が表示され、第２表示領域２４２に、時刻とラップタイム（ＬＰ）又はスプリットタイム（ＳＰ）とが、所定の時間間隔で切り換えながら表示される。ただし、図４（ｂ）に示した表示例では、操作入力部２５０に対して所定の操作がなされた場合に、ラップタイム又はスプリットタイムが予め設定された時間Ｔ３だけ第２表示領域２４２に表示される。この所定の操作は、例えば、ラップタイム又はスプリットタイムの計測を指示する操作や、経過時間の計測を開始、停止あるいは終了する操作である。図４（ｂ）では、時刻ｔ１１から時刻ｔ１２までの、時間Ｔ２の間、第２表示領域２４２には時刻が表示されている。次に、時刻ｔ１２から時刻ｔ１３までの、時間Ｔ１の間、第２表示領域２４２には、ラップタイム又はスプリットタイムが表示されている。次に、時刻ｔ１３から第２表示領域２４２には、時刻が表示される。ここで、時刻ｔ１３から時間Ｔ２が経過するまでの間の時刻ｔ１４で、操作入力部２５０に対して所定のキー操作がなされているので、時刻ｔ１４から時刻ｔ１５までの時刻Ｔ３の間、第２表示領域２４２には、ラップタイム又はスプリットタイムが表示されている。そして、第２表示領域２４２には、時刻ｔ１５から再び時刻が表示され、さらに、時刻ｔ１３から時間Ｔ２経過後の時刻ｔ１６で、第２表示領域２４２には、ラップタイム又はスプリットタイムが表示される。この表示動作では、表示部２４０に時刻情報を表示させている状態でも、一度のキー操作で（すなわち動作モードを切り換えるためのキー操作を追加して行うことなく）ラップタイムの計時やスプリットタイムの計時、あるいは経過時間の計測の終了等の動作を行わせることができる。なお、図３（ｄ）又は（ｅ）が例えば時刻ｔ１４からｔ１５の間における表示例である。
【００３２】
次に、図４（ｃ）に示した表示例では、図４（ａ）の表示例と同様に、図３に示した第１表示領域２４１に常時、心拍数が表示され、第２表示領域２４２に、時刻とラップタイム（ＬＰ）又はスプリットタイム（ＳＰ）とが、所定の時間間隔で切り換えながら表示される。ただし、図４（ｃ）に示した表示例では、処理部２２０が受信部２１０を用いて受信した心拍信号に異常がある場合（例えば信号が受信できない場合や、通常、想定される範囲を超える頻度で受信される場合）、時刻情報を常時、第１表示領域２４１に表示させるともに、ラップタイム又はスプリットタイムを第２表示領域２４２に表示させている。この例では、時刻ｔ２７で心拍信号が受信できなくなったか、或いは、心拍信号を受信する際の受信信号の周波数成分に異常な高周波成分が含まれるような場合になっており、時刻ｔ２７から時間Ｔ４経過後の時刻ｔ２８で、第１表示領域２４１の表示情報が、心拍数から時刻情報に切り換えられている。また、時刻ｔ２８以降、第２表示領域２４２には、常時、ラップタイム又はスプリットタイムが表示されている。図４（ｃ）では、時刻ｔ２１から時刻ｔ２２までの、時間Ｔ２の間、第２表示領域２４２には時刻が表示されている。次に、時刻ｔ２２から時刻ｔ２３までの、時間Ｔ１の間、第２表示領域２４２には、ラップタイム又はスプリットタイムが表示されている。次に、時刻ｔ２７で心拍信号に異常が検出され、その時間Ｔ４経過後の時刻ｔ２８で、第１表示領域２４１の表示情報が心拍数から時刻情報に切り換えられている。この表示動作では、心拍情報が不正確である場合には、第１表示領域２４１に時刻情報を切り換えて表示することで、不要な情報の表示を控えて、有用な計測情報の表示を効率的に行っている。なお、図５（ａ）の表示例が、例えば時刻ｔ２７直前における表示例である。また、図５（ｂ）の表示例が、例えば時刻ｔ２８における表示例である。なお、図５は、図３と同様に、表示部２４０における表示例を示した図である。図５（ａ）に示した例では、第１表示領域２４１が心拍数「１４９」を表示し、第２表示領域２４２が「午前１０時８分５９秒」を示す時刻情報を表示している。図５（ｂ）に示した例では、第１表示領域２４１が「午前１０時９分」を示す時刻情報を表示し、第２表示領域２４２が、ラップタイムを表す文字「ＬＰ」と経過時間「１分４７秒９８」を示している。
【００３３】
なお、図４に示した各動作例における設定時間Ｔ１〜Ｔ４は、任意に設定することができる。あらかじめ製品出荷段階で固定して設定しておいてもよいし、ユーザーが任意にあるいは選択的に設定できるようにしてもよい。また、時間Ｔ１と時間Ｔ２との長短の関係はＴ１＜Ｔ２に限定されず、Ｔ１≧Ｔ２の関係であってもよい。また、時間Ｔ３と、時間Ｔ１や時間Ｔ２との関係も、同様に任意に設定することができる。例えば、設定の一例を示せば、時間Ｔ１が１０秒、時間Ｔ２が５０秒、そして、時間Ｔ３が６秒である。また、時間Ｔ４は０としてもよいし、例えば数秒〜数１０秒程度の値としてもよい。
【００３４】
次に、図６及び図７を参照して、図４（ａ）に示した表示動作を行う場合の、処理部２２０の動作例について説明する。図６は、処理部２２０の表示動作の基本的な処理の流れの一例を示したフローチャートである。また、図７は、図６のステップＳ１１内の処理の流れの一例を示したフローチャートである。図６に示した処理は、クロノグラフモードに設定された状態において、一定の時間間隔で繰り返し実行される。まず、ステップＳ１１では、処理部２２０が、表示部２４０の第１表示領域２４１の表示情報と第２表示領域２４２の表示情報を指定する処理を行う。ステップＳ１１の詳細は、図７を参照して追って説明する。次に、ステップＳ１２で処理部２２０は、ステップＳ１１で指定した計測情報を表示するための制御信号を表示部２４０に対して出力する。ステップＳ１２では、表示部２４０が有する第１表示領域２４１と第２表示領域２４２の２個の表示領域を用いて、心拍数、時刻情報、ラップタイム又はスプリットタイムの３種類の計測情報のうちの２種類が表示される。
【００３５】
図７に示した図６のステップＳ１１に対応する処理では、まず、処理部２２０が、クロノグラフモードに動作モードが設定されている否かを判定する（ステップＳ１０１）。ここで、クロノグラフモードに設定されていると判定した場合（ステップＳ１０１でＹＥＳの場合）、処理部２２０は、経過時間の計測が開始されているか否かを判定する（ステップＳ１０２）。ステップＳ１０１又はステップＳ１０２で判定結果がＮＯの場合、ステップＳ１０３で通常表示を行うための設定を行った後（あるいは表示情報の指示等の処理をなにも行わずに）、処理部２２０は、処理を終了する。この場合、図６のステップＳ１２では、通常の情報の表示（例えば時計機能による時刻表示や、各種設定を行う場合の設定状態の表示等）が、処理部２２０の制御の下、表示部２４０において行われる。
【００３６】
一方、ステップＳ１０１及びステップＳ１０２の判定結果がどちらもＹＥＳの場合、処理部２２０は、ステップＳ１０４で、これから行う設定処理が初めての設定処理か否かを判定する。設定処理が初めてであるというのは、ステップＳ１０４の判定処理が、ステップＳ１０１及びステップＳ１０２の判定結果がどちらもＹＥＳとなった後、１回目に行われたものであることを意味する。すなわち、ステップＳ１０１及びステップＳ１０２の判定結果がどちらもＹＥＳとなった後、１回目のステップＳ１０４の処理では、初回設定であるとの判定がなされ、２回目以降のステップＳ１０４の処理では、初回設定ではないとの判定がなされる。
【００３７】
例えば、図４（ａ）に示したタイミングチャートでは、時刻ｔ１において、ステップＳ１０４の判定結果がＹＥＳとなる。ステップＳ１０４の判定結果がＹＥＳとなった場合、処理部２２０は、記憶部２６０に記憶されている表示の優先度を表す情報を参照して、優先度が相対的に高い情報を第１表示領域２４１に常時表示し、優先度が相対的に低い複数の情報を第２表示領域２４２に切り換えて表示するため、第１表示領域２４１の表示情報を「心拍数」、第２表示領域２４２の表示情報を「ラップタイム」又は「スプリットタイム」に指定する処理を行う（ステップＳ１０５）。次に、処理部２２０は、第２表示領域２４２の表示情報を「時刻」に切り換える時刻ｔａを（現在時刻＋Ｔ１）に設定する（ステップＳ１０６）。次に、処理部２２０は、切り換え時刻ｔｂに所定の値を設定する（ステップＳ１０７）。そして、処理部２２０は、処理を終了する。ここで、図６のステップＳ１１の処理が終了し、ステップＳ１２で表示処理が行われる。
【００３８】
ステップＳ１０５では、処理部２２０が、第１表示領域２４１の表示情報を「心拍数」、第２表示領域２４２の表示情報を「ラップタイム」又は「スプリットタイム」に指定している。そのため、図６のステップＳ１２では、図４（ａ）の時刻ｔ１のように、第１表示領域２４１で「心拍数」、第２表示領域２４２で「ラップタイム」又は「スプリットタイム」が表示される。一方、ステップＳ１０６では、処理部２２０が、第２表示領域２４２の表示情報を「時刻」に切り換える時刻ｔａを（現在時刻＋Ｔ１）（図４（ａ）の例では、現在時刻ｔ１に時間Ｔ１を加えた時刻ｔ２）に設定する。また、ステップＳ１０７では、第２表示領域の表示情報を「ラップタイム」又は「スプリットタイム」に切り換える時刻ｔｂの値を、時刻ｔａよりも後の時間、例えば時刻ｔａに所定の時間（図６の繰り返し周期よりも長い時間）を加えた値とする処理を行う。この処理は、後述するステップＳ１１２の判定処理が誤った動作とならないようにするための処理である。
【００３９】
その後、図４（ａ）に示した例では、時刻ｔ２に達するまで、ステップＳ１０１及びＳ１０２がＹＥＳ、ステップＳ１０４がＮＯ、ステップＳ１０８及びステップＳ１１２がＮＯとなるので、第１表示領域２４１と第２表示領域２４２の表示情報は変化しない。
【００４０】
一方、時刻ｔ２になると、ステップＳ１０８の判定結果がＹＥＳとなる。ステップＳ１０８では、処理部２２０が、現在時刻が、第２表示領域の表示情報を「時刻」に切り換える時刻ｔａに到達したか否かを判定する。図４（ａ）に示した例では、ステップＳ１０６で時刻ｔａに時刻ｔ２が設定されているので、時刻ｔ２以後の最初の処理でステップＳ１０８の判定結果がＹＥＳとなる。ステップＳ１０８の判定結果がＹＥＳとなった場合、処理部２２０は、記憶部２６０に記憶されている表示の優先度を表す情報を参照して、優先度が相対的に高い情報を第１表示領域２４１に常時表示し、優先度が相対的に低い複数の情報を第２表示領域２４２に切り換えて表示するため、第１表示領域２４１の表示情報を「心拍数」、第２表示領域２４２の表示情報を「時刻」に指定する処理を行う（ステップＳ１０９）。次に、処理部２２０は、第２表示領域２４２の表示情報を「ラップタイム」又は「スプリットタイム」に切り換える時刻ｔｂを（現在時刻＋Ｔ２）に設定する（ステップＳ１１０）。次に、処理部２２０は、切り換え時刻ｔａに所定の値を設定する（ステップＳ１１１）。そして、処理部２２０は、処理を終了する。ここで、図６のステップＳ１１の処理が終了し、ステップＳ１２で表示処理が行われる。
【００４１】
ステップＳ１０９では、処理部２２０が、第１表示領域２４１の表示情報を「心拍数」、第２表示領域２４２の表示情報を「時刻」に指定している。そのため、図６のステップＳ１２では、図４（ａ）の時刻ｔ２のように、第１表示領域２４１で「心拍数」、第２表示領域２４２で「時刻」が表示される。一方、ステップＳ１１０では、処理部２２０が、第２表示領域２４２の表示情報を「ラップタイム」又は「スプリットタイム」に切り換える時刻ｔｂを（現在時刻＋Ｔ２）（すなわち、図４（ａ）の例では、現在時刻ｔ２に時間Ｔ２を加えた時刻ｔ３）に設定する。また、ステップＳ１１１では、第２表示領域の表示情報を「時刻」に切り換える時刻ｔａの値を、時刻ｔｂよりも後の時間、例えば時刻ｔｂに所定の時間（図６の繰り返し周期よりも長い時間）を加えた値とする処理を行う。この処理は、ステップＳ１０８の判定処理が誤った動作とならないようにするための処理である。
【００４２】
その後、図４（ａ）に示した例では、時刻ｔ３に達するまで、ステップＳ１０１及びＳ１０２がＹＥＳ、ステップＳ１０４がＮＯ、ステップＳ１０８及びステップＳ１１２がＮＯとなるので、第１表示領域２４１と第２表示領域２４２の表示情報は変化しない。
【００４３】
一方、時刻ｔ３になると、ステップＳ１１２の判定結果がＹＥＳとなる。ステップＳ１１２では、処理部２２０が、現在時刻が、第２表示領域の表示情報を「ラップタイム」又は「スプリットタイム」に切り換える時刻ｔｂに到達したか否かを判定する。図４（ａ）に示した例では、ステップＳ１１０で時刻ｔｂに時刻ｔ３が設定されているので、時刻ｔ３以後の最初の処理でステップＳ１１２の判定結果がＹＥＳとなる。ステップＳ１１２の判定結果がＹＥＳとなった場合、処理部２２０は、記憶部２６０に記憶されている表示の優先度を表す情報を参照して、優先度が相対的に高い情報を第１表示領域２４１に常時表示し、優先度が相対的に低い複数の情報を第２表示領域２４２に切り換えて表示するため、第１表示領域２４１の表示情報を「心拍数」、第２表示領域２４２の表示情報を「ラップタイム」又は「スプリットタイム」に指定する処理を行う（ステップＳ１１３）。次に、処理部２２０は、第２表示領域２４２の表示情報を「時刻」に切り換える時刻ｔａを（現在時刻＋Ｔ１）に設定する（ステップＳ１１４）。次に、処理部２２０は、ステップＳ１０７と同様にして、切り換え時刻ｔｂに所定の値を設定する（ステップＳ１１５）。そして、処理部２２０は、処理を終了する。ここで、図６のステップＳ１１の処理が終了し、ステップＳ１２で表示処理が行われる。
【００４４】
ステップＳ１１３では、処理部２２０が、第１表示領域２４１の表示情報を「心拍数」、第２表示領域２４２の表示情報を「ラップタイム」又は「スプリットタイム」に指定している。そのため、図６のステップＳ１２では、図４（ａ）の時刻ｔ３のように、第１表示領域２４１で「心拍数」、第２表示領域２４２で「ラップタイム」又は「スプリットタイム」が表示される。一方、ステップＳ１１４では、処理部２２０が、第２表示領域２４２の表示情報を「時刻」に切り換える時刻ｔａを（現在時刻＋Ｔ１）（すなわち、図４（ａ）の例では、現在時刻ｔ３に時間Ｔ１を加えた時刻ｔ４）に設定する。また、ステップＳ１１５では、第２表示領域の表示情報を「ラップタイム」又は「スプリットタイム」に切り換える時刻ｔｂの値を、時刻ｔａよりも後の時間、例えば時刻ｔａに所定の時間（図６の繰り返し周期よりも長い時間）を加えた値とする処理を行う。この処理は、ステップＳ１１２の判定処理が誤った動作とならないようにするための処理である。
【００４５】
以上の処理を繰り返し実行することで、表示部２４０では、図４（ａ）に示したような表示動作が行われる。
【００４６】
次に、図８及び図９を参照して、図４（ｂ）に示した表示動作を行う場合の、処理部２２０の動作例について説明する。図８は、図４（ｂ）に示した表示動作を行う場合の図７に示したフローチャートからの変更部分を示している。図８に示したフローでは、図７に示したステップＳ１０７、Ｓ１１１、Ｓ１１５及びＳ１１２のＮＯの後、処理を終了する前に、ステップＳ２００の処理を追加している。ステップＳ２００の処理は、所定キーの入力操作による割り込み表示の設定処理であって、その内容は、図９に示した処理となる。
【００４７】
図９に示したフローでは、まず、処理部２２０が、図７のステップＳ１０５、Ｓ１０９又はＳ１１３での第１表示領域の表示情報と第２表示領域の表示情報との最新の（つまり最後の）指定内容を保存する（ステップＳ２０１）。例えば図４（ｂ）の表示例では、時刻ｔ１４にキー操作が行われる前の時刻ｔ１３の指定内容が保存される。ここで保存した値は、時刻ｔ１５で時間Ｔ３の間の割り込みによる「ラップタイム」又は「スプリットタイム」の表示の後（すなわち復帰したとき）の表示情報の指定内容として用いられる。
【００４８】
ステップＳ２０２は、所定キーの入力があった直後に、又は割り込み表示モードによる「ラップタイム」又は「スプリットタイム」の表示中にＹＥＳとなる判定処理である。ここで、割り込み表示モードとは、図４（ｂ）において時刻ｔ１４の後、時間Ｔ３の間、割り込みによる「ラップタイム」又は「スプリットタイム」の表示を行う動作状態を意味する。処理部２２０は、ステップＳ２０２でＹＥＳであって、ステップＳ２０３でＮＯの場合（すなわち、所定キーの入力が検知された場合）、ステップＳ２０４〜Ｓ２０７で、割り込み表示モードを初期設定している。すなわち、処理部２２０は、まず、所定キーの入力情報を初期化して、ステップＳ２０２で所定キーの入力有りとの判定が繰り返しなされないようにしている（ステップＳ２０４）。次に、処理部２２０は、第１表示領域の表示情報を「心拍数」、第２表示領域の表示情報を「ラップタイム」又は「スプリットタイム」に指定している（ステップＳ２０５）。この処理によって、図７のステップＳ１０５、Ｓ１０９又はＳ１１３での第１表示領域の表示情報と第２表示領域の表示情報との指定内容を上書きすることで、第２表示領域の表示情報を「ラップタイム」又は「スプリットタイム」に指定している。次に、処理部２２０は、割り込み表示モードを解除する時刻ｔｃを（現在時刻＋Ｔ３）に設定する（ステップＳ２０６）。図４（ｂ）に示した表示例では、時刻ｔ１４の時間Ｔ３後の時刻ｔ１５が解除時刻ｔｃに設定される。そして、処理部２２０は、割り込み表示モードに設定する（すなわち例えば割り込み表示モード中であることを示す所定フラグを設定する）（ステップＳ２０７）。ここで、処理が終了するので（すなわち図８ではステップＳ２００の処理が終了するので）、図６のステップＳ１２において、指定された内容による情報表示が行われる。
【００４９】
以後、割り込み表示モードが解除する時刻ｔｃに到達するまで、ステップＳ２０２がＹＥＳ、ステップＳ２０３がＹＥＳ、そして、ステップＳ２０８はＮＯとなり、ステップＳ２０９の処理が繰り返し実行される。ステップＳ２０８は処理部２２０が、現在時刻が割り込み表示モードを解除する時刻ｔｃに到達したか否かを判定する処理である。また、ステップＳ２０９の処理は、ステップＳ２０５と同一の処理である。
【００５０】
一方、割り込み表示モードが解除する時刻ｔｃに到達すると、ステップＳ２０８はＹＥＳとなるので、処理部２２０は、割り込み表示モードを解除し（ステップＳ２１０）、第１表示領域の表示情報と第２表示領域の表示情報との指定内容を、ステップＳ２０１で最後に保存した指定内容に戻す処理を行う（ステップＳ２１１）。ここで、図４（ｂ）の時刻ｔ１５のように、割り込み表示を行わない場合の表示状態に復帰する。
なお、ステップＳ２０２で、所定キーの入力がないと判定されるか、割り込み表示モードではないと判定された場合（ステップＳ２０２でＮＯの場合）、指定内容の上書きは行われない。
【００５１】
次に、図１０及び図１１を参照して、図４（ｃ）に示した表示動作を行う場合の、処理部２２０の動作例について説明する。図１０は、図４（ｃ）に示した表示動作を行う場合の図７又は図８に示したフローチャートからの変更部分を示している。図１０に示したフローでは、図８に示したステップＳ２００の処理の後、処理を終了する前に、ステップＳ３００の処理を追加している。ステップＳ３００の処理は、心拍信号で異常が検出された場合の表示設定処理であって、その内容は、図１１に示した処理となる。
【００５２】
図１１に示したフローでは、まず、処理部２２０が、心拍信号に異常があるか否かを判定する（ステップＳ３０１）。心拍信号に異常ありと判定された場合（ステップＳ３０１でＹＥＳの場合）、処理部２２０は、信号異常時表示モードに設定されているか否かを判定する（ステップＳ３０３）。ここで、信号異常時表示モードとは、図４（ｃ）の表示例では時刻ｔ２７で信号異常が検知された後の動作状態を意味する。ステップＳ３０３の判定結果がＮＯの場合、処理部２２０は、信号異常時表示モードによる表示を開始する時刻ｔｄを（現在時刻＋Ｔ４）に設定し（ステップＳ３０４）、続いて、信号異常時表示モードに設定する（ステップＳ３０５）。図４（ｃ）の表示例の場合、ステップＳ３０４では、時刻ｔｄに時刻ｔ２８が設定される。
【００５３】
以後、心拍信号に異常が継続して現れている場合には、ステップＳ３０１とステップＳ３０３がともにＹＥＳとなるので、ステップＳ３０６の判定処理が行われる。ステップＳ３０６で処理部２２０は、現在時刻が、信号異常時表示モードによる表示を開始する時刻ｔｄに到達したか否かを判定する。ここで、ＹＥＳと判定された場合、処理部２２０は、第１表示領域の表示情報を「時刻」、第２表示領域の表示情報を「ラップタイム」又は「スプリットタイム」に指定する処理を行う（ステップＳ３０７）。図４（ｃ）の表示例では、時刻ｔ２８でステップＳ３０７の処理が実行され、以後、第１表示領域に「時刻」が表示され、第２表示領域に「ラップタイム」又は「スプリットタイム」が表示される。なお、心拍信号に異常が生じなくなった場合にはステップＳ３０１の判定結果がＮＯとなり、信号異常時表示モードは解除され（ステップＳ３０２）、図１０のステップＳ２００までの処理での指定内容で、表示部２４０の表示が行われる。
【００５４】
なお、本発明の実施の形態は、上記のものに限定されない。例えば、表示部２４０に切り換えながら表示する情報を、ラップタイム又はスプリットタイムの一方と、時刻情報とにするのに代えて、ラップタイムと、スプリットタイムと、時刻情報との３つの計測情報を切り換えながら表示するようにしてもよい。また、例えば、心拍数などの生体情報あるいは計測情報の値に応じて、切り換え時間間隔を変化させることなども可能である。また、加速度センサなどを用いて、ランニングウォッチ２００で検知された加速度の向きや大きさに応じて、表示する情報や切り換え時間間隔を変化させることなども可能である。
【００５５】
また、本実施形態の処理部２２０の各処理を実行するためのプログラムをコンピュータ読み取り可能な記録媒体に記録して、当該記録媒体に記録されたプログラムをコンピュータシステムに読み込ませ、実行することにより、処理部２２０に係る上述した種々の処理を行ってもよい。
【００５６】
なお、ここでいう「コンピュータシステム」とは、ＯＳや周辺機器等のハードウェアを含むものであってもよい。また、「コンピュータシステム」は、ＷＷＷシステムを利用している場合であれば、ホームページ提供環境（あるいは表示環境）も含むものとする。また、「コンピュータ読み取り可能な記録媒体」とは、フレキシブルディスク、光磁気ディスク、ＲＯＭ、フラッシュメモリ等の書き込み可能な不揮発性メモリ、ＣＤ−ＲＯＭ等の可搬媒体、コンピュータシステムに内蔵されるハードディスク等の記憶装置のことをいう。
【００５７】
さらに「コンピュータ読み取り可能な記録媒体」とは、インターネット等のネットワークや電話回線等の通信回線を介してプログラムが送信された場合のサーバやクライアントとなるコンピュータシステム内部の揮発性メモリ（例えばＤＲＡＭ（Ｄｙｎａｍｉｃ  Ｒａｎｄｏｍ  Ａｃｃｅｓｓ  Ｍｅｍｏｒｙ））のように、一定時間プログラムを保持しているものも含むものとする。また、上記プログラムは、このプログラムを記憶装置等に格納したコンピュータシステムから、伝送媒体を介して、あるいは、伝送媒体中の伝送波により他のコンピュータシステムに伝送されてもよい。ここで、プログラムを伝送する「伝送媒体」は、インターネット等のネットワーク（通信網）や電話回線等の通信回線（通信線）のように情報を伝送する機能を有する媒体のことをいう。また、上記プログラムは、前述した機能の一部を実現するためのものであっても良い。さらに、前述した機能をコンピュータシステムにすでに記録されているプログラムとの組み合わせで実現できるもの、いわゆる差分ファイル（差分プログラム）であっても良い。
【００５８】
以上、本発明の実施形態について図面を参照して詳述したが、具体的な構成はこの実施形態に限られるものではない。各実施形態における各構成及びそれらの組み合わせ等は一例であり、本発明の趣旨から逸脱しない範囲内で、構成の付加、省略、置換、およびその他の変更が可能である。また、本発明は実施形態によって限定されることはなく、特許請求の範囲によってのみ限定される。
【符号の説明】
【００５９】
１  ランニングウォッチシステム
１００  チェストストラップ
１１０  センサ部
１２０  送信部
２００  ランニングウォッチ
２１０  受信部
２２０  処理部
２４０  表示部
２５０  操作入力部
２６０  記憶部
【図１】
2014169895.tif 000003
【図２】
2014169895.tif 000004
【図３】
2014169895.tif 000005
【図４】
2014169895.tif 000006
【図５】
2014169895.tif 000007
【図６】
2014169895.tif 000008
【図７】
2014169895.tif 000009
【図８】
2014169895.tif 000010
【図９】
2014169895.tif 000011
【図１０】
2014169895.tif 000012
【図１１】
2014169895.tif 000013